(57)【要約】【課題】パケットの受信側の消費電力を低減する基地局装置を提供すること。【解決手段】基地局１００に、共通データチャネルでパケットを送信する共通データチャネル送信部１２０と、リソース制御チャネルで前記パケットの受信に必要な制御情報を共通データチャネルと同期して送信する共通制御チャネル送信部１３０と、前記パケットおよび前記制御情報の送信タイミングをスケジューリング（具体的には、時間方向のスケジューリング）し、今回送信される制御情報より後に送信される制御情報の送信タイミング（具体的には、時間スケジューリング情報）を前記今回に送信される制御情報に含めるスケジューリング部１１０と、を設けた。制御情報の受信側である移動局は、次に送信されてくる制御信号のタイミングが分かるので、共通制御チャネル受信部をそのタイミング付近だけ作動させればよいため、移動局における消費電力の無駄を低減することができる。【選択図】図２
2007181094.tif 000002
【特許請求の範囲】
【請求項１】
共通データチャネルでパケットを送信する共通データチャネル送信手段と、
リソース制御チャネルで前記パケットの受信に必要な制御情報を前記共通データチャネルと略同期して送信するリソース制御チャネル送信手段と、
前記パケットおよび前記制御情報の送信タイミングをスケジューリングし、今回送信される制御情報より後に送信される制御情報の送信タイミングを前記今回に送信される制御情報に含めるスケジューラと、
を具備する基地局装置。
【請求項２】
前記リソース制御チャネル送信手段は、複数の周波数キャリアを用いて前記パケットを送信し、
前記スケジューラは、前記パケットを配置する前記周波数キャリアの配置パターンをスケジューリングし、前記後に送信される制御情報と同時期に送信されるパケットの前記配置パターンを前記今回に送信される制御情報に含める請求項１記載の基地局装置。
【請求項３】
前記スケジューラは、今回送信される制御情報より後に送信される制御情報の送信タイミングとして、前記今回送信される制御情報と前記後に送信される制御情報との時間間隔を表す、固定値である標準値および当該標準値との乖離値の組み合わせを含める請求項１記載の基地局装置。
【請求項４】
前記パケットの受信側における受信品質に応じたＣＱＩ報告情報を受信する受信手段を具備し、
前記スケジューラは、前記ＣＱＩ報告情報の報告頻度および報告パターンの指定情報を前記制御情報に含める請求項１記載の基地局装置。
【請求項５】
前記指定情報は、周波数方向のスケジューリング方式種別である請求項４記載の基地局装置。
【請求項６】
前記スケジューラは、前記パケットの受信側との間の伝播環境に応じて、前記制御情報の出力先を、当該制御情報をＭＡＣ  ＰＤＵに含めて送信する共通データチャネル送信手段、又は、リソース制御チャネル送信手段とする請求項１記載の基地局装置。
【請求項７】
前記スケジューラは、前記パケットの受信側との間の伝播環境のレベルが所定のレベルに満たないときには、前記制御情報の出力先を、当該制御情報をＭＡＣ  ＰＤＵに含めて送信する共通データチャネル送信手段とする請求項１記載の基地局装置。
【請求項８】
前記スケジューラは、前記報告頻度指定情報に対応するタイミングで前記受信手段が前記ＣＱＩ報告情報を受信しないときに、前記制御情報の出力先を、当該制御情報をＭＡＣ  ＰＤＵに含めて送信する前記共通データチャネル送信手段とする請求項４記載の基地局装置。
【請求項９】
前記パケットの受信側からの当該パケットに対するＡＣＫおよびＮＡＣＫを受信する受信手段を具備し、
前記スケジューラは、前記ＡＣＫおよび前記ＮＡＣＫを受け取らないときに、前記制御情報の出力先を、前記共通データチャネル送信手段とする請求項７記載の基地局装置。
【請求項１０】
前記パケットの受信側からの当該パケットに対するＡＣＫおよびＮＡＣＫを受信する受信手段を具備し、
前記スケジューラは、前記ＮＡＣＫ情報を所定回数連続して受け取るときに、前記制御情報の出力先を、前記共通データチャネル送信手段とする請求項７記載の基地局装置。
【発明の詳細な説明】
【技術分野】
【０００１】
本発明は、基地局装置に関し、特に高速パケット通信を行う基地局装置に関する。
【背景技術】
【０００２】
３ＧＰＰのＨＳＤＰＡ(High Speed Downlink Packet Access)方式において、ＨＳＤＰＡ用のチャネルとしては基地局（Ｎｏｄｅ  Ｂ）から移動局（ＵＥ）に無線信号を送信するダウンリンク（以下、「ＤＬ」と称する）として、パケットデータ用のチャネルであるＨＳ−ＰＤＳＣＨ(High Speed Physical Downlink Shared Channel)と、このＨＳ−ＰＤＳＣＨを受信するために必要なチャネライゼーションコード、多重数及び変調方式等の情報を伝送する制御チャネルであるＨＳ−ＳＣＣＨ(High Speed Shared Control Channel)と、が規定されており、これらのチャネルがセットで送信される。
【０００３】
また、ＨＳＤＰＡ方式において、移動局から基地局に無線信号を送信するアップリンク（以下、「ＵＬ」と称する）として、ＨＳ−ＤＰＣＣＨ(High Speed Dedicated Physical Control Channel)が規定されており、このＨＳ−ＤＰＣＣＨでは、ＨＳ−ＰＤＳＣＨの無線信号が移動局に正しく受信されたか否かを表すＡＣＫ／ＮＡＣＫ信号と、移動局と基地局との間の回線品質情報ＣＱＩ(Channel Quality Indicator)と、が送信される。このＣＱＩは、ＤＬチャネルの一つである共通パイロットチャネルＣＰＩＣＨ(Common Pilot Channel)から算出されるＳＮＲ(Signal to Noise Ratio)に基づいて生成されるものである。基地局は、高いＳＮＲに基づいて生成されたＣＱＩを受信したときには、ＨＳ−ＰＤＳＣＨの伝送レートを上げることができる。
【０００４】
ＨＳＤＰＡ方式では、セルスループットを最大化するために、フレームを分けたサブフレームである、２ｍｓのＴＴＩ（Transmission Time Interval）単位の高速スケジューリングが行われている（図１２参照）。そのため、移動局はＴＴＩ単位でＨＳ−ＳＣＣＨを監視し続け、自装置宛のパケットがスケジューリングされているかをチェックする必要がある。すなわち、移動局はＴＴＩ単位でＨＳ−ＳＣＣＨをチェックし、自装置の識別情報であるＵＥ＿ＩＤが含まれているときには、このＨＳ−ＳＣＣＨに対応するパケットをＨＳ−ＰＤＳＣＨで受信する処理を行う。
【０００５】
ここで、パケットには非連続的に送られてくる性質があり、自装置宛のデータが無いタイミングでＨＳ−ＳＣＣＨを受信することは、移動局にとって無駄な処理となる。
【０００６】
この問題を解決するために、特許文献１では、移動局のモードの切り替えが提案されている（図１３参照）。具体的には、通常に受信処理を行うモード(アクティブモード)と、受信処理を行わないモード（サスペンドモード）とが用意され、基地局からの指示に従って、移動局は上記２つのモードを切り替える。同図に示すように、ＨＳ−ＳＣＣＨにおいて、基地局から移動局に向けて、状態遷移のトリガーが周期的に送信される。移動局は、状態遷移トリガーを周期的に受信し、この状態遷移トリガーがＳｕｓｐｅｎｄ（停止）を意味するときには、移動局は次に状態遷移トリガーが送信されてくるタイミングまで受信処理を行わない（同図中のSuspend period）。すなわち、ＨＳ−ＳＣＣＨおよびＨＳ−ＰＤＳＣＨの両チャネルにおける受信処理が行われない。一方、状態遷移トリガーがＡｃｔｉｖｅ（動作）を意味するときには、次に状態遷移トリガーが送信されてくるタイミングまで連続的に受信処理を行う（同図中のActive period）。こうして、２つのモードを切り替えることにより、移動局における電力消費量の低減が図られる。
【０００７】
また、上記状態遷移トリガーの送信周期を可変とするものも提案されている。具体的には、トラヒックの状況に応じてシステムによって決められる上記状態遷移トリガーの送信周期がＤＲＸファクターとして移動局に設定され、移動局はこのＤＲＸファクターに応じたタイミングで上記状態遷移トリガーの受信処理を行う。
【０００８】
ところで、パケットトラヒックの特性として、周期的に送られる場合と、非周期的に送られる場合がある。例えば、ＶｏＩＰでは固定的又は可変的なサイズのパケットが一定周期で送信され、ＭＰＥＧでは様々なサイズのパケットが周期的に送信される。また、ＦＴＰやＷＥＢなどでは、非周期的にパケットが送信され、しかもそのパケットサイズは様々である。
【０００９】
すなわち、図１４に示すように、或るパケットの受信タイミングと、次のパケットの受信タイミングとの間の受信パケットが存在しないＳｌｅｅｐ  ｐｅｒｉｏｄの長さは規則的な場合と、非規則的な場合があり、さらに規則的、不規則的なＳｌｅｅｐ  ｐｅｒｉｏｄが混在する。例えば、移動局において、音声通信がなされているのと同時に、Ｗｅｂ  ｂｒｏｗｓｉｎｇがなされる場合には、規則的、不規則的なＳｌｅｅｐ  ｐｅｒｉｏｄが混在することとなる。このような場合のＳｌｅｅｐ  ｐｅｒｉｏｄは、大きく変動し、不規則な長さをもつこととなる。そして、この傾向は、基地局のスケジューリングによっては、さらに顕著となる。  
【特許文献１】特開２００４−１４７０５０号公報
【発明の開示】
【発明が解決しようとする課題】
【００１０】
しかしながら、このようなパケットトラヒックの傾向があるにも関わらず、上記従来技術における移動局の状態遷移周期は固定的又は準固定的な値であり、ＤＲＸファクターについてもＲＲＣシグナリング又はシステムにおいて予め決められた値であり、固定的又は準固定的な値である。従って、従来技術のような固定的又は準固定的な状態遷移周期またはＤＲＸ Ｉｎｔｅｒｖａｌによっては、パケットトラフィックの動的な特性に追従することができない。その結果、移動局におけるＨＳ−ＳＣＣＨの無駄な受信処理が依然として行われ、移動局の電力が無駄に消費されてしまう問題がある。
【００１１】
本発明は、かかる点に鑑みてなされたものであり、パケットの受信側の消費電力を低減する基地局装置を提供することを目的とする。
【課題を解決するための手段】
【００１２】
本発明の基地局装置は、共通データチャネルでパケットを送信する共通データチャネル送信手段と、リソース制御チャネルで前記パケットの受信に必要な制御情報を前記共通データチャネルと略同期して送信するリソース制御チャネル送信手段と、前記パケットおよび前記制御情報の送信タイミングをスケジューリングし、今回送信される制御情報より後に送信される制御情報の送信タイミングを前記今回に送信される制御情報に含めるスケジューラと、を具備する構成を採る。
【発明の効果】
【００１３】
本発明によれば、パケットの受信側の消費電力を低減する基地局装置を提供することができる。
【発明を実施するための最良の形態】
【００１４】
以下、本発明の実施の形態について図面を参照して詳細に説明する。なお、実施の形態において、同一の構成要素には同一の符号を付し、その説明は重複するので省略する。
【００１５】
（実施の形態１）
図１に示すように実施の形態１の無線通信システム１０は、基地局制御局５０と、基地局１００と、移動局２００とを有する。同図に示すように、基地局１００と、移動局２００との間には、種々のチャネルが用意されている。具体的には、上り下りのフィードバックチャネル（Feedback Channel）、上り下りの共通データチャネル（Shared Data Channel）、リソースコントロールチャネル（Resource Control Channel）、リソースリクエストチャネル（Resource Request Channel）である。
【００１６】
この無線通信システム１０においては、基地局１００がリソース制御チャネルを用いて制御情報を移動局２００に送信するとともに、前記制御情報と対応するパケットを共通データチャネルを用いて送信する。この制御情報は、共通データチャネルにおけるパケットの送受信処理に利用される情報であり、移動局２００は、制御情報を用いて、この制御情報と対応するパケットの送受信処理を行う。こうして、基地局１００から移動局２００への下り共通チャネルを利用した高速パケット通信が行われる。
【００１７】
移動局２００は、下りの共通データチャネルで送信されたパケットを正しく受信できたか否かを表すＡＣＫ／ＮＡＣＫ信号と、自装置と基地局１００との間の回線品質情報ＣＱＩ(Channel Quality Indicator)とを、上りのフィードバックチャネル（Feedback channel）を用いて送信する。
【００１８】
図２に示すように、基地局１００は、スケジューリング部１１０と、共通データチャネル送信部１２０と、リソース制御チャネル送信部１３０と、受信部１４０と、ＡＣＫ／ＮＡＣＫ取得部１５０と、ＣＱＩ情報取得部１６０と、上り送信リソース要求取得部１７０とを有する。データチャネル送信部１２０は、送信バッファ１２２と、フレーム形成部１２４と、無線送信部１２６とを有する。
【００１９】
スケジューリング部１１０は、ＣＱＩ情報、上り送信リソース要求、および送信パケット情報に基づいて移動局２００に対して送信するパケットのスケジューリングを行い、スケジューリング情報を生成する。ここでは周波数方向と、時間方向との２次元的なスケジューリングを行う。ここで、送信パケット情報には、図３に示すような送信パケットの種別（例えば、ＶｏＩＰ、ＦＴＰ、Ｗｅｂ  ｂｒｏｗｓｉｎｇの別などトラヒックタイプ）、アプリケーションの特性に依存するＱｏＳパラメータ（サイズ、遅延要求など）、および無線リンクに関する情報（変化性が高いか低いかなど）が含まれる。
【００２０】
具体的には、スケジューリング部１１０は、周波数方向のスケジューリングとして、共通データチャネルの送信タイミングにおいて当該共通データチャネルで利用可能な周波数のうち、使用する周波数の配置パターンをスケジューリングし、また、時間方向のスケジューリングとして、上記周波数の配置パターンのキャリアを用いてパケットを送信するタイミングをスケジューリングする。
【００２１】
上記周波数の配置パターンとしては、図４に示すように、Ｄｉｓｔｒｉｂｕｔｅｄ  ｓｃｈｅｄｕｌｉｎｇの配置パターンと、Ｌｏｃａｌｉｚｅｄ  ｓｃｈｅｄｕｌｉｎｇの配置パターンとに大別できる。
【００２２】
また、パケット送信タイミングの間隔（例えば、同図中ではＴ１、Ｔ２）を制御することにより、柔軟な時間方向のスケジューリングが可能となる。例えば、スケジューリング部１１０は、図３に示すように、送信パケット情報、具体的には送信パケットの種別（例えば、ＶｏＩＰ、ＦＴＰ、Ｗｅｂ  ｂｒｏｗｓｉｎｇの別など）に応じて、異なる送信間隔（同図におけるＤＲＸ  ｉｎｔｅｖａｌ）で送信する。なお、特に移動局２００の移動が移動していない又はその移動が低速である場合には、時間軸方向のスケジューリングを行うことが可能となる。なぜならば、そのような場合には、チャネルの変動が小さいので、移動局２００で復調復号方式は一定時間内において変わらないためである。また、従来のＴＴＩ（２ｍｓ）に比べて、さらにＴＴＩを小さくする場合（例えば、０．５ｍｓ）には、チャネルの変動速度を考慮すると、複数ＴＴＩレベルの時間方向のスケジューリングは可能である。
【００２３】
また、スケジューリング部１１０は、送信バッファ１２２に保持されているパケットの出力を指示する。このとき、スケジューリング部１１０は、ＡＣＫ／ＮＡＣＫ取得部１５０からＮＡＣＫを受け取る場合には、そのＮＡＣＫに対応するパケットの出力つまり再送を指示し、ＡＣＫを受け取る場合には、新しいパケットの出力を指示する。こうして、送信バッファ１２２からフレーム形成部１２４にパケットが出力される。また、スケジューリング部１１０は、生成した２次元のスケジューリング情報をフレーム形成部１２４およびリソース制御チャネル送信部１３０に対して出力する。なお、スケジューリング部１１０は、リソース制御チャネル送信部１３０にスケジューリング情報を出力するだけでなく、リソース制御チャネル送信部１３０に対してＯＮ／ＯＦＦ制御信号を出力し、これによりリソース制御チャネル送信部１３０のＯＮ／ＯＦＦ制御を行ってもよい。
【００２４】
リソース制御チャネル送信部１３０に対して出力されるスケジューリング情報（ＳＩ）は、図５に示すように周波数スケジューリング情報（Frequency SI）と、時間スケジューリング情報（Time SI）とから構成される。すなわち、スケジューリング部１１０は、スケジューリングした結果としての、周波数スケジューリング情報（Frequency SI）および時間スケジューリング情報（Time SI）を含めたスケジューリング情報を生成する。ただし、このスケジューリング情報は、これと同時期に共通データチャネルから送信されるパケットの情報ではなく、このパケットの次に送られるパケットについてのスケジューリング情報に相当する。すなわち、時間スケジューリング情報は、このスケジーリング情報および共通データチャネルのパケットが同時期に送信されるタイミングから、次のスケジューリング情報および共通データチャネルでの次のパケットが送信されるタイミングまでの時間間隔を示すものである。また、周波数スケジューリング情報（Frequency SI）についても同様に、次に送信されるパケットの周波数配置パターンに関するものである。
【００２５】
具体的には、スケジューリング部１１０は、周波数スケジューリング情報（Frequency SI）には、Ｄｉｓｔｒｉｂｕｔｅｄ  ｓｃｈｅｄｕｒｉｎｇとＬｏｃａｌｉｚｅｄ  ｓｃｈｅｄｕｒｉｎｇとの識別情報、すなわち周波数方向のスケジューリング方式種別を含め、特に、Ｄｉｓｔｒｉｂｕｔｅｄ  ｓｃｈｅｄｕｒｉｎｇの場合には、上記使用する周波数の配置パターンに係る情報も含める。
【００２６】
また、時間スケジューリング情報（Time SI）には、所定の様式により、次のスケジューリング情報および次のパケットが送信されるまでの時間間隔が分かるような情報が含められる。例えば、次のパケットが送信されるサブフレーム番号であってもよいし、また、今回送信されるサブフレームからいくつ後のサブフレームに次のスケジューリング情報などが配置されるかを示すサブフレームオフセットを含めてもよい。また、連続したサブフレームにパケットが同じ周波数配置パターンで重畳される場合には、そのサブフレームの数を含めてもよい。こうすることにより、基地局１００側では、送信するスケジューリング情報の数を削減することができ、また移動局２００側では、連続してパケットが送信されてくる時間帯においてはリソース制御チャネルを監視する必要がなくなるので、消費電力を更に低減することができる。また、ＶｏＩＰなど一定の周期で送られるパケットの場合、時間スケジューリング情報（Time SI）を送らず、移動局２００はあらかじめ設定される間欠受信（DRX）のInterval Factorを利用し、共通データチャンネルを一定の周期で間欠的に受信する。
【００２７】
また、サブフレームオフセットを含める場合には、時間スケジューリング情報（Time SI）を、例えば図６に示すような構成としてもよい。すなわち、時間スケジューリング情報（Time SI）に、ＤＲＸ  ｉｎｔｅｒｖａｌ  ｏｆｆｓｅｔと、Ｉｎｔｅｖａｌ  ｖａｌｕｅとを含める。ここで、Ｉｎｔｅｖａｌ  ｖａｌｕｅは、送信パケットの種別ごとに規定されたサブフレームオフセットの標準値である。また、ＤＲＸ  ｉｎｔｅｒｖａｌ  ｏｆｆｓｅｔは、次に送信されるまでの時間間隔に関するサブフレームオフセットの標準値からのずれを示すものである。同図においては、すべてサブフレームであるＴＴＩ単位で表されている。このように、ＤＲＸ  ｉｎｔｅｒｖａｌ  ｏｆｆｓｅｔと、Ｉｎｔｅｖａｌ  ｖａｌｕｅとの組み合わせでパケットが次に送られてくるサブフレームを特定することにより、次のサブフレームまで長い間隔があく場合であっても少ないビット数でその間隔を表現することができる。なお、スケジューリング部１１０は、ＣＱＩ情報が移動局２００における受信品質が悪い状態または変動が大きいことを示すときには、時間軸方向でのスケジューリングが行われないため、ＤＲＸ  ｉｎｔｅｒｖａｌ  ｏｆｆｓｅｔをゼロとして、時間スケジューリング情報（Time SI）を送信パケット種別に応じて固定値（Ｉｎｔｅｖａｌ  ｖａｌｕｅ）にしてもよい。
【００２８】
また、さらに時間スケジューリング情報（Time SI）には、同図に示すように、ＣＱＩ報告方法指定情報を含めてもよい。このＣＱＩ報告方法指定情報は、移動局２００によるＣＱＩの報告方法およびその報告頻度を示す情報である。ＣＱＩ報告方法としては、従来と同様にＲＲＣシグナリングに基づいた方法、又は、ＣＱＩ報告方法指定情報に含められた他の方法による方法の指定が可能である。前記他の方法を指定するときには、スケジューリング部１１０は、ＡＣＫ／ＮＡＣＫ取得部１５０からＡＣＫ／ＮＡＣＫを受け取るパターンに応じて、ＣＱＩ報告の頻度及びパターンを指定する。スケジューリング部１１０は、例えば、ＡＣＫ／ＮＡＣＫ取得部１５０からＮＡＣＫを連続的に受け取る場合には、ＣＱＩ報告の精度に問題があると判断し、ＣＱＩ報告パターン（タイミング、繰り返し回数）を制御して、報告頻度を上げるようにする。
【００２９】
また、スケジューリング部１１０は、上り送信リソース要求に応じて、上りの共通データチャネルについてのリソース割り当てを行う。この上り共通データチャネルのリソース割り当て情報も上記下りのスケジューリング情報と同じくリソース制御チャネルを介して移動局２００に送信される。
【００３０】
リソース制御チャネル送信部１３０は、スケジューリング部１１０からのスケジューリング情報をリソース制御チャネルを用いて移動局２００に対して送信する。すなわち、リソース制御チャネル送信部１３０は、Ｌａｙｅｒ  １（物理層）を用いて、スケジューリング情報を送信する。
【００３１】
送信バッファ１２２は、ネットワークから移動局２００に送信するパケットを入力し、一時保持する。そして、スケジューリング部１１０からの指示に従って、対応するパケットをフレーム形成部１２４に出力する。
【００３２】
フレーム形成部１２４は、スケジューリング部１１０からのスケジューリング情報に基づいて、フレームを形成する。具体的には、周波数スケジューリング情報に対応する周波数上であって、時間スケジューリング情報に対応するサブフレーム（例えば、ＴＴＩ）に、送信パケットを配置して、フレームを形成する。このフレームは、無線送信部１２６を介して移動局２００に送信される。
【００３３】
受信部１４０は、移動局２００から上りのチャネルを介して送信される信号を受信し、所定の無線処理を施してＣＱＩ情報取得部１６０およびＡＣＫ／ＮＡＣＫ取得部１５０に出力する。
【００３４】
ＣＱＩ情報取得部１６０は、受信部からの信号を入力し、当該信号からＣＱＩ情報を抽出してスケジューリング部１１０に出力する。
【００３５】
ＡＣＫ／ＮＡＣＫ取得部１５０は、受信部１４０からの信号を入力し、当該信号からＡＣＫ／ＮＡＣＫ情報を抽出してスケジューリング部１１０に出力する。
【００３６】
上り送信リソース要求取得部１７０は、受信部１４０からの信号を入力し、移動局２００が上りパケット送信に利用するリソースを要求する上り送信リソース要求を抽出してスケジューリング部１１０に出力する。
【００３７】
図７に示すように、実施の形態１の移動局２００は、リソース制御チャネル受信部２１０と、スケジューリング情報解析部２２０と、共通データチャネル受信部２３０と、誤り判定部２４０と、パイロットチャネル受信部２５０と、無線品質測定部２６０と、ＣＱＩ決定部２７０と、上り送信リソース要求生成部２８０と、送信部２９０とを有する。
【００３８】
リソース制御チャネル受信部２１０は、基地局１００からリソース制御チャネルを介して送信されたスケジューリング情報を受信し、スケジューリング情報解析部２２０に出力する。また、リソース制御チャネル受信部２１０は、スケジューリング情報解析部２２０からの解析結果に基づいて、次に送られてくるスケジューリング情報の受信タイミングに合わせて受信処理を行う。具体的には、図８に示すように、リソース制御チャネル受信部２１０は、最初のスケジューリング情報を受信した後は、次の受信タイミングを知ることができるので、そのタイミングだけ作動すればよい。その結果、移動局２００における消費電力を低減することができる。なお、時間スケジューリング情報に、パケットが重畳されているサブフレームの数が含められているときには、スケジューリング情報解析部２２０からその数を受け取るので、リソース制御チャネル受信部２１０は、そのサブフレームの間はリソース制御チャネルを監視する必要がないので、更に消費電力を低減することができる。
【００３９】
スケジューリング情報解析部２２０は、リソース制御チャネル受信部２１０からスケジューリング情報を解析する。すなわち、スケジューリング情報には、上述のとおり、周波数スケジューリング情報と、時間スケジューリング情報と、ＣＱＩ報告方法指定情報とが含まれているので、これらを抽出して解析する。そして、この解析結果をリソース制御チャネル受信部２１０、共通データチャネル受信部２３０およびＣＱＩ決定部２７０に出力する。
【００４０】
共通データチャネル受信部２３０は、スケジューリング情報解析部２２０からの解析結果に従って、共通データチャネルの受信を行う。すなわち、解析結果には、共通データチャネルで送られてくるパケットが配置されている、周波数リソースの情報およびタイミングが含まれているので、これらに基づいて、パケットを受信する。
【００４１】
誤り判定部２４０は、共通データチャネル受信部２３０で受信したパケットが正しく受信できたか判定し、判定の結果、正しく受信できた場合には、ＡＣＫを生成し、正しく受信できなかった場合には、ＮＡＣＫを生成する。
【００４２】
パイロットチャネル受信部２５０は、基地局１００から送信されるパイロット信号を受信して、無線品質測定部２６０に出力する。
【００４３】
無線品質測定部２６０は、パイロットチャネル受信部２５０からのパイロット信号を用いて、受信品質（例えば、ＳＮＲ(Signal to Noise Ratio)）を測定し、測定結果をＣＱＩ決定部２７０に出力する。
【００４４】
ＣＱＩ決定部２７０は、無線品質測定部２６０からの測定結果に基づいて、ＣＱＩを決定する。そして、ＣＱＩ決定部２７０は、スケジューリング情報解析部２２０からのＣＱＩ報告方法指定情報に応じてＣＱＩ情報を生成する。すなわち、ＣＱＩ決定部２７０は、ＣＱＩ報告方法指定情報が示す報告方法（すなわち、ＲＲＣシグナリングに応じた報告方法など）、および、ＣＱＩ報告タイミングに従ってＣＱＩ情報を生成し、送信部２９０に出力する。こうして、ＣＱＩ報告方法指定情報によって、ＣＱＩ情報の報告方法および報告頻度が制御される。
【００４５】
なお、ＣＱＩ決定部２７０は、スケジューリング情報解析部２２０からの周波数スケジューリング情報（周波数方向のスケジューリング方式種別など）に基づいてＣＱＩ報告を制御することも可能である。具体的には、特に、Ｄｉｓｔｒｉｂｕｔｅｄ  ｓｃｈｅｄｕｒｉｎｇが選択されている場合には、パケットが周波数方向に分散されているので、周波数ダイバーシチ効果が得られ、ＣＱＩの報告については周波数ブロック（Chunk）に対してではなく平均値などで報告することが可能であり、ＣＱＩの報告頻度を少なくすることができる。
【００４６】
また、ＣＱＩ報告は、基地局１００からパケットが送られるタイミングと同調して行うことが効率的である。例えば、パケット送られる１又は数ＴＴＩ前にＣＱＩ報告を送る。基地局１００からのデータが送られない期間中のＣＱＩ報告は、無駄であり、移動局２００の電力消費だけではなく上りの干渉を増加させ、セルキャパシティの減少にもつながることになるが、ＣＱＩ報告を基地局１００からパケットが送られるタイミングと同調して行うことにより、上記問題を解決することができる。
【００４７】
上り送信リソース要求生成部２８０は、送信バッファ（図示せず）に保持された上り共通データチャネルで送信されるパケットを送信するためのリソースの割り当てを要求するため上り送信リソース要求を生成し、送信部２９０に出力する。
【００４８】
送信部２９０は、誤り判定部２４０からのＡＣＫ／ＮＡＣＫ信号、ＣＱＩ決定部２７０からのＣＱＩ情報、および上り送信リソース要求生成部２８０からの上り送信リソース要求を、上りのフィードバックチャネル（Uplink Feedback Channel）を用いて基地局１００に送信する。
【００４９】
次に、上記構成を有するシステム１０における基地局１００および移動局２００の動作について説明する。
【００５０】
まず、ネットワークから移動局２００に送信するパケットが発生すると、基地局１００の送信バッファ１２２で一時保持される。このとき、送信バッファ１２２に保持されたパケットの送信パケット情報がスケジューリング部１１０に入力される。
【００５１】
スケジューリング部１１０は、送信パケット情報を受け取ると、対応するパケットの送信のスケジューリングを行う。具体的には、上述のとおり、パケットの種別などに応じて、周波数方向および時間方向のスケジューリングを行う。
【００５２】
そして、スケジューリング部１１０は、送信バッファ１２２に対して出力命令を出し、この命令に対応するパケットがフレーム形成部１２４に出力され、フレーム形成部１２４でスケジューリング情報に応じたフレームが形成される。
【００５３】
スケジューリング部１１０はスケジューリング情報をリソース制御チャネル送信部１３０に出力し、このスケジューリング情報はリソース制御チャネルを介して移動局２００に対して送信される。このとき、フレーム形成部１２４にて形成されたフレームにおいて、パケットが重畳されている最初のサブフレームと同時期に送信されるスケジューリング情報は、そのサブフレームについての情報ではなく、次にパケットが重畳されているサブフレームについての情報である。
【００５４】
移動局２００においては、まずリソース制御チャネルで送信されたスケジューリング情報を受信する。スケジューリング情報を受信すると、これと同時期に共通データチャネルで送信されたパケットが共通データチャネル受信部２１０で受信される。ここで、共通データチャネルにおいてパケットが最初の重畳されたサブフレームでは、予め決められた周波数方向の配置パターンとなっているので、共通データチャネル受信部２１０は、この予め決められたパターンに従って受信処理を行うことができる。
【００５５】
移動局２００で受信した上記スケジューリング情報には、次にパケットが重畳されているサブフレームを特定するための情報が含められている。ここで、リソース制御チャネルと、共通データチャネルとは、略同時期に送信されるので、次にパケットが重畳されているサブフレームをスケジューリング情報解析部２２０の解析結果によって特定できれば、次のスケジューリング情報が送られてくるサブフレームも特定することができる。
【００５６】
よって、図８に示すように、移動局２００は、最初のスケジューリング情報を受信できれば、次にスケジューリング情報が送られてくるサブフレームが分かるので、リソース制御チャネル受信部２１０はそのタイミング付近だけ作動すればよいこととなる。
【００５７】
また、共通データチャネルにおいても同様に、最初のサブフレームを受信できれば、次にパケットが重畳されているサブフレームを特定することができるので、共通データチャネル受信部２３０は、そのタイミング付近だけ作動すればよいこととなる。こうして、移動局２００における消費電力を低減することができる。
【００５８】
また、移動局２００では、ＣＱＩ決定部２７０が無線品質測定部２６０からの測定結果に基づいて、ＣＱＩ情報を生成する。このとき、ＣＱＩ決定部２７０は、スケジューリング情報解析部２２０からのＣＱＩ報告方法指定情報に応じた方法でＣＱＩの報告を基地局１００に対して行う。すなわち、ＣＱＩ報告方法指定情報に含まれる報告方法が、ＲＲＣシグナリングに応じた報告方法かその他の方法か、またその報告頻度を確認し、確認結果に応じた方法および頻度でＣＱＩ報告を行う。
【００５９】
このように実施の形態１によれば、基地局１００に、共通データチャネルでパケットを送信する共通データチャネル送信部１２０と、リソース制御チャネルで前記パケットの受信に必要な制御情報（スケジューリング情報を含む）を前記共通データチャネルと同期して送信するリソース制御チャネル送信部１３０と、前記パケットおよび前記制御情報の送信タイミングをスケジューリング（具体的には、上記時間方向のスケジューリング）し、今回送信される制御情報より後に送信される制御情報の送信タイミング（具体的には、上記時間スケジューリング情報）を前記今回に送信される制御情報に含めるスケジューリング部１１０と、を設けた。
【００６０】
こうすることにより、制御情報の受信側である移動局２００は、次に送信されてくる制御信号のタイミングが分かるので、リソース制御チャネルをそのタイミングだけ監視すればよくリソース制御チャネル受信部２３０をそのタイミング付近だけ作動させればよいため、移動局２００における消費電力の無駄を低減することができる。
【００６１】
また、前記リソース制御チャネル送信部１３０は、複数のキャリアを用いて前記パケットを送信し、前記スケジューリング部１１０は、前記パケットを配置する前記キャリアのパターンをスケジューリングし、前記後に送信される制御情報と同時期に送信されるパケットの前記配置パターンを前記今回に送信される制御情報に含める。
【００６２】
また、前記スケジューリング部１１０は、今回送信される制御情報より後に送信される制御情報の送信タイミングとして、前記今回送信される制御情報と前記後に送信される制御情報との時間間隔を表す、固定値である標準値（例えば、Ｉｎｔｅｖａｌ  ｖａｌｕｅ）および当該標準値との乖離値（例えば、ＤＲＸ  ｉｎｔｅｒｖａｌ  ｏｆｆｓｅｔ）の組み合わせを含める。
【００６３】
こうすることにより、今回送信される制御情報と、後に送信される制御情報との時間間隔が大きく変動する場合にも、少ないビット数でその変動を表現することができる。その結果、制御情報のデータ量を削減することができ、下りチャネルのトラヒックを低減することができる。
【００６４】
また、基地局１００に、前記パケットの受信側における受信品質に応じたＣＱＩ報告情報を受信するＣＱＩ情報取得部１６０を設け、前記スケジューリング部１１０は、前記ＣＱＩ報告情報の報告頻度および報告パターンの指定情報を前記制御情報に含める。
【００６５】
こうすることにより、パケットの受信側からのＣＱＩ報告の頻度および報告パターンを制御することができ、例えば、送信パケットの送信間隔があくようなときに、無駄なＣＱＩ報告を削減することができる。その結果、上りチャネルのトラヒックも低減することができ、セル内への干渉も低減することができる。
【００６６】
（実施の形態２）
実施の形態１ではスケジューリング情報をリソース制御チャネルを介して送信した。これに対して、実施の形態２では、共通データチャネルを介してスケジューリング情報がＭＡＣ  ＰＤＵの一部として基地局から移動局に送信される。また、条件に応じて、スケジューリング情報を、リソース制御チャネルを介して送信するか、共通データチャネルのデータのＭＡＣ  ＰＤＵで送信するかで切り替える。
【００６７】
図９に示すように実施の形態２の基地局３００は、スケジューリング部３１０と、共通データチャネル送信部３２０とを有する。この共通データチャネル送信部３２０は、フレーム形成部３２２を有する。
【００６８】
スケジューリング部３１０は、所定の条件によって、スケジューリング情報を、リソース制御チャネルを介して送信するか又は共通データチャネルを介して送信するかで切り替える。具体的には、スケジューリング部３１０は、或るパケットについて最初に送信する場合には、実施の形態１と同様にリソース制御チャネルを介して、すなわちＬａｙｅｒ  １を用いてスケジューリング情報を送信する。そして、そのパケットの再送のとき、すなわちＡＣＫ／ＮＡＣＫ取得部１５０からＮＡＣＫを受け取ったときには、スケジューリング部３１０は、共通データチャネルを介して、Ｌａｙｅｒ  ２のＭＡＣ  ＰＤＵを用いてスケジューリング情報を送信するためにスケジューリング情報をフレーム形成部３２２に出力する。
【００６９】
なお、スケジューリング部３１０は、後述する移動局４００から受け取るＣＱＩ情報が下りの伝播環境を反映するので、ＣＱＩ情報のレベルに応じて、スケジューリング情報の送信チャネルをリソース制御チャネルと共通データチャネルとの間で切り替えてもよい。このとき、伝播環境が悪く通信品質が所定のレベルを保てないときには、共通データチャネルに切り替えられる。
【００７０】
また、報告頻度指定情報に対応するタイミングでＣＱＩ報告情報を受信しないとき、又は、送信したパケットに対応するＡＣＫおよびＮＡＣＫを受け取らないときには、スケジューリング部３１０は、共通データチャネルを介して、すなわちＬａｙｅｒ  ２を用いてスケジューリング情報を送信するためにスケジューリング情報をフレーム形成部３２２に出力する。
【００７１】
また、スケジューリング部３１０は、上り共通データチャネルのリソース割り当て情報についても、スケジューリング情報の送信チャネルの切り替えに連動してリソース制御チャネルと共通データチャネルとの間で切り替える。
【００７２】
また、スケジューリング部３１０は、システムにハイブリッドＡＲＱ又はアウターＡＲＱが適用されている場合、共通データチャネルを介してスケジューリング情報を送信するときには、その再送回数に基づいてパケットの送信タイミングを制御する。すなわち、スケジューリング部３１０は、再送回数に基づいて時間スケジューリング情報を調整する。
【００７３】
フレーム形成部３２２は、スケジューリング部３１０からスケジューリング情報を受け取ると、図１０に示すように、ＭＡＣ  ＰＤＵのヘッダ部分にスケジューリング情報を含めてフレームを形成する。
【００７４】
図１１に示すように、実施の形態２の移動局４００は、共通データチャネル受信部４１０と、スケジューリング情報解析部４２０とを有する。
【００７５】
共通データチャネル受信部４１０は、スケジューリング情報解析部４２０からの解析結果に従って、共通データチャネルの受信を行う。すなわち、解析結果には、共通データチャネルで送られてくるパケットが配置されている、周波数リソース情報およびタイミングが含まれているので、これらに基づいて、パケットを受信する。
【００７６】
また、共通データチャネル受信部４１０は、受信したパケットのＭＡＣ  ＰＤＵのヘッダに含まれているスケジューリング情報を抽出し、このスケジューリング情報をスケジューリング情報解析部４２０に出力する。そして、共通データチャネル受信部４１０は、このスケジューリング情報に関する解析結果を受け取り、解析結果に従って、共通データチャネルの受信を行う。こうして、共通データチャネル受信部４１０は、スケジューリング情報解析部２２０からの解析結果に基づいて、次に送られてくるスケジューリング情報の受信タイミングに合わせて受信処理を行う。
【００７７】
スケジューリング情報解析部４２０は、スケジューリング情報が共通データチャネルを介して送信されたときに、共通データチャネル受信部４１０からスケジューリング情報を受け取り、このスケジューリング情報を解析して解析結果を共通データチャネル受信部４１０およびＣＱＩ決定部２７０に出力する。
【００７８】
このように実施の形態２によれば、基地局３００に、共通データチャネルでパケットを送信する共通データチャネル送信部３２０と、リソース制御チャネルで前記パケットの受信に必要な制御情報（スケジューリング情報を含む）を前記共通データチャネルと同期して送信するリソース制御チャネル送信部１３０と、前記パケットおよび前記制御情報の送信タイミングをスケジューリング（具体的には、上記時間方向のスケジューリング）し、今回送信される制御情報より後に送信される制御情報の送信タイミング（具体的には、上記時間スケジューリング情報）を前記今回に送信される制御情報に含めるスケジューリング部３１０と、を設けた。
【００７９】
スケジューリング部３１０は、前記パケットの受信側との間の伝播環境に応じて、前記制御情報の出力先を、共通データチャネル送信部３２０又はリソース制御チャネル送信部１３０とする。
【００８０】
こうすることにより、例えば、伝播環境が悪いときには、信頼性の高いＬａｙｅｒ  ２の通信を行う共通データチャネル送信部３２０に切り替えることができる。なお、スケジューリング情報の伝送の信頼度を保つため、伝播環境が悪いとき、すなわち伝播環境のレベルが所定のレベルに満たないときには、リソース制御チャネル送信部１３０（Ｌａｙｅｒ  １）と共通データチャネル送信部３２０（Ｌａｙｅｒ  ２）との切り替えではなく、共通データチャネル送信部３２０（Ｌａｙｅｒ  ２）を用いたスケジューリング情報の伝送に自動的に設定されるようにしてもよい。
【００８１】
また、基地局３００に、前記パケットの受信側（移動局４００）における受信品質に応じたＣＱＩ報告情報を受信するＣＱＩ情報取得部１６０を設け、前記スケジューリング部３１０は、ＣＱＩ報告方法指定情報に対応するタイミングでＣＱＩ報告情報を受信しないときに、前記制御情報の出力先を共通データチャネル送信部３２０とする。
【００８２】
また、基地局３００に、前記パケットの受信側からの当該パケットに対するＡＣＫおよびＮＡＣＫを受信するＡＣＫ／ＮＡＣＫ取得部１５０を設け、スケジューリング部３１０は、前記ＡＣＫおよび前記ＮＡＣＫを受け取らないときに、前記制御情報の出力先を前記リソース制御チャネル送信部１３０とする。
【００８３】
（他の実施の形態）
上記実施の形態においては、リソース制御チャネルにて送信される制御信号に、次に送られてくるタイミングを特定するための情報を含めて送信する場合について説明を行った。しかしながら、従来技術の状態遷移のトリガーの中に、次のトリガーが送信されてくるタイミングを特定できる情報を含めることにより、パケットトラフィックの動的な特性に追従して、移動局の無駄な電力消費を防止することもできる。
【００８４】
また、時間軸でのパケットスケジューリングが行われる場合、移動局がリソース制御チャンネルを見るタイミングは既知情報であるため、移動局を識別するためのＵＥ＿ＩＤの送信をなくすことができる。また、伝播路の変動が小さい場合、ＣＱＩの報告方法を指示すると共に、リソース制御チャンネルの送信情報には、ＡＭＣ情報に関するビットを送信しなくてよい。
【産業上の利用可能性】
【００８５】
本発明の基地局装置は、パケットの受信側の消費電力を低減するとともに、セルへの干渉を減らし、セルのキャパシティを増大するものとして有用である。
【図面の簡単な説明】
【００８６】
【図１】本発明の実施の形態１に係る無線通信システムを示すブロック図
【図２】実施の形態１に係る基地局の構成を示すブロック図
【図３】トラヒックタイプとＤＲＸ  Ｉｎｔｅｒｖａｌとを対応づけたテーブルを示す図
【図４】周波数軸方向と時間軸方向とでのスケジューリングの概念図
【図５】スケジューリング情報の構成の説明に供する図
【図６】図５のスケジューリング情報における時間スケジューリング情報の構成例を示す図
【図７】実施の形態１に係る移動局の構成を示すブロック図
【図８】リソース制御チャネルにおけるスケジューリング情報の送受信タイミング特定の説明に供する図
【図９】実施の形態２に係る基地局の構成を示すブロック図
【図１０】スケジューリング情報の共通データチャネルを介した送信の説明に供する図
【図１１】実施の形態２に係る移動局の構成を示すブロック図
【図１２】従来のＨＳＤＰＡにおけるパケット受信例を示す図
【図１３】従来技術である状態遷移トリガーの受信例およびそのときの移動局の状態遷移を示す図
【図１４】トラヒックタイプの説明に供する図
【符号の説明】
【００８７】
１０  無線通信システム
１００、３００  基地局
１１０、３１０  スケジューリング部
１２０、３２０  共通データチャネル送信部
１２２  送信バッファ
１２４、３２２  フレーム形成部
１２６  無線送信部
１３０  リソース制御チャネル送信部
１４０  受信部
１５０  ＡＣＫ／ＮＡＣＫ取得部
１６０  ＣＱＩ情報取得部
１７０  上り送信リソース要求取得部
２００、４００  移動局
２１０  リソース制御チャネル受信部
２２０、４２０  スケジューリング情報解析部
２３０、４１０  共通データチャネル受信部
２４０  誤り判定部
２５０  パイロットチャネル受信部
２６０  無線品質測定部
２７０  ＣＱＩ決定部
２８０  上り送信リソース要求生成部
２９０  送信部
【図１】
2007181094.tif 000003
【図２】
2007181094.tif 000004
【図３】
2007181094.tif 000005
【図４】
2007181094.tif 000006
【図５】
2007181094.tif 000007
【図６】
2007181094.tif 000008
【図７】
2007181094.tif 000009
【図８】
2007181094.tif 000010
【図９】
2007181094.tif 000011
【図１０】
2007181094.tif 000012
【図１１】
2007181094.tif 000013
【図１２】
2007181094.tif 000014
【図１３】
2007181094.tif 000015
【図１４】
2007181094.tif 000016